(57)【特許請求の範囲】
【請求項１】
（ａ）第１ハウジング（１１）と、該第１ハウジング（１１）に装填された端子（６１）とを備え、基板（９１）のエッジ部に接続される第１コネクタ（１）と、
（ｂ）第２ハウジング（１１１）と、該第２ハウジング（１１１）に装填され、一端がケーブル（１９１）に接続され、他端が前記端子（６１）に接続される中継基板（１３１）とを備え、前記第１コネクタ（１）と嵌合する第２コネクタ（１０１）とを有するエッジコネクタであって、
（ｃ）前記中継基板（１３１）は、表裏両面に形成された複数の導電線（１５１、１６１）を備え、
（ｄ）前記ケーブル（１９１）は、複数であり、前記中継基板（１３１）の両面に沿って列を形成するように中継基板（１３１）の幅方向に並び、かつ、中継基板（１３１）の一面側と他面側とで幅方向に位置がずれるように配列されることを特徴とするエッジコネクタ。
【請求項２】
前記導電線（１５１、１６１）は、前記ケーブル（１９１）の信号ライン（１９５）に接続される信号線（１６１）と接地ライン（１９３）に接続される接地線（１５１）とから成る導電線ペア（１７１）を複数備え、
該導電線ペア（１７１）は、前記中継基板（１３１）の両面において列を形成するように中継基板（１３１）の幅方向に並び、かつ、中継基板（１３１）の一面と他面とで幅方向に位置がずれるように配列される請求項１に記載のエッジコネクタ。
【請求項３】
前記信号ライン（１９５）及び信号線（１６１）を合せた導電経路長と、前記接地ライン（１９３）及び接地線（１５１）を合せた導電経路長とが等しい請求項２に記載のエッジコネクタ。
【請求項４】
前記端子（６１）は、前記中継基板（１３１）の一面に形成された導電線（１５１、１６１）に接続される第１端子（６１ａ）と、前記中継基板（１３１）の他面に形成された導電線（１５１、１６１）に接続される第２端子（６１ｂ）とを備え、
前記第１端子（６１ａ）及び第２端子（６１ｂ）は、前記第１端子（６１ａ）の前方接触部（６４ａ）が前記中継基板（１３１）の一面に形成された導電線（１５１、１６１）に接続され、前記第２端子（６１ｂ）の前方接触部（６４ｂ）が前記中継基板（１３１）の他面に形成された導電線（１５１、１６１）に接続され、前記第１端子（６１ａ）の後方接触部（６２ａ）と前記第２端子（６１ｂ）の後方接触部（６２ｂ）とが前記基板（９１）の一面に形成された接続電極（９３）に接続されるように配列される請求項２に記載のエッジコネクタ。
【請求項５】
前記第１端子（６１ａ）の導電経路長と、前記第２端子（６１ｂ）の導電経路長とが等しい請求項４に記載のエッジコネクタ。
【請求項６】
前記中継基板（１３１）は２列となるように配列され、一方の列の中継基板（１３１）の導電線（１５１、１６１）は、前記端子（６１）を介して、前記基板（９１）の一面に形成された接続電極（９３）に接続され、他方の列の中継基板（１３１）の導電線（１５１、１６１）は、前記端子（６１）を介して、前記基板（９１）の他面に形成された接続電極（９３）に接続される請求項１〜５のいずれか１項に記載のエッジコネクタ。
【請求項７】
前記ケーブル（１９１）は千鳥配置となるように配列される請求項１〜６のいずれか１項に記載のエッジコネクタ。
【発明の詳細な説明】
【技術分野】
【０００１】
本発明は、エッジコネクタに関するものである。
【背景技術】
【０００２】
従来、複数本の導電線を含むケーブルをプリント回路基板等の基板の側端に接続するためのコネクタが提案されている（例えば、特許文献１参照。）。
【０００３】
図１３は従来のコネクタを示す断面図である。
【０００４】
図において、８０１は図示されない基板に接続される基板側コネクタであり、ハウジング８１１を有する。また、９９１は基板側コネクタ８０１に接続されるケーブルであり、複数本の導電線９９２を備える。そして、ケーブル９９１を基板側コネクタ８０１に接続するコネクタは、基板側コネクタ８０１からケーブル９９１の端部までの範囲の周囲を覆うシールド部材９７１を有する。
【０００５】
また、前記コネクタは、シールド部材９７１の内部に収容された中継基板９１１を有する。該中継基板９１１のケーブル９９１側の端部の両面にはグランド用ランド９２１が形成され、該グランド用ランド９２１には、各導電線９９２が備えるシールド網線９９４がはんだ付されている。また、中継基板９１１の中央部の両面にはケーブル側信号ランド９６１が形成され、該ケーブル側信号ランド９６１には、各導電線９９２の芯線９９３がはんだ付されている。さらに、中継基板９１１の基板側コネクタ８０１側の両面には前記ケーブル側信号ランド９６１に接続された基板側信号ランド９６２が形成され、該基板側信号ランド９６２には、基板側コネクタ８０１が備える端子の先端部８６１が接触している。そして、前記端子の後端部８６２が図示されない基板の導電トレースに接続されることによって、前記ケーブル９９１の各導電線９９２が対応する基板の導電トレースに接続される。
【特許文献１】特開２０００−６８００７号公報
【発明の開示】
【発明が解決しようとする課題】
【０００６】
しかしながら、前記従来のコネクタにおいては、ケーブル９９１によって伝送する信号のチャンネル数の増加により、導電線９９２の本数及び基板の導電トレースの本数が増加した場合、幅方向（図面に垂直な方向）の寸法が増加してしまう。そのため、基板が実装されている電子機器等の寸法に余裕がなく、コネクタの幅方向の寸法に制限がある場合、伝送する信号のマルチチャンネル化、すなわち、多極化の要求に十分に対応することができなかった。また、複数枚の中継基板９１１を厚さ方向に並べて配設することも考えられるが、この場合、中継基板９１１の両面に導電線９９２が接続されているので、隣接する中継基板９１１間の間隙（げき）を広げる必要があり、中継基板９１１の並び方向の寸法が増加してしまう。
【０００７】
本発明は、前記従来のコネクタの問題点を解決して、中継基板の表裏両面に接続される複数本のケーブルを中継基板の幅方向に並ぶように、かつ、表面に接続されるケーブルの位置と裏面に接続されるケーブルの位置とが幅方向にずれるように配列するようにして、幅方向及び厚さ方向の寸法を増加させることなく多数本のケーブルを相手方の基板に接続することができ、構成が簡素でコストが低く、小型でありながら、信号の多極化に適切に対応することができ、耐久性が高く、信頼性の高いエッジコネクタを提供することを目的とする。
【課題を解決するための手段】
【０００８】
そのために、本発明のエッジコネクタにおいては、第１ハウジングと、該第１ハウジングに装填（てん）された端子とを備え、基板のエッジ部に接続される第１コネクタと、第２ハウジングと、該第２ハウジングに装填され、一端がケーブルに接続され、他端が前記端子に接続される中継基板とを備え、前記第１コネクタと嵌（かん）合する第２コネクタとを有するエッジコネクタであって、前記中継基板は、表裏両面に形成された複数の導電線を備え、前記ケーブルは、複数であり、前記中継基板の両面に沿って列を形成するように中継基板の幅方向に並び、かつ、中継基板の一面側と他面側とで幅方向に位置がずれるように配列される。
【０００９】
本発明の他のエッジコネクタにおいては、さらに、前記導電線は、前記ケーブルの信号ラインに接続される信号線と接地ラインに接続される接地線とから成る導電線ペアを複数備え、該導電線ペアは、前記中継基板の両面において列を形成するように中継基板の幅方向に並び、かつ、中継基板の一面と他面とで幅方向に位置がずれるように配列される。
【００１０】
本発明の更に他のエッジコネクタにおいては、さらに、前記信号ライン及び信号線を合せた導電経路長と、前記接地ライン及び接地線を合せた導電経路長とが等しい。
【００１１】
本発明の更に他のエッジコネクタにおいては、さらに、前記端子は、前記中継基板の一面に形成された導電線に接続される第１端子と、前記中継基板の他面に形成された導電線に接続される第２端子とを備え、前記第１端子及び第２端子は、前記第１端子の前方接触部が前記中継基板の一面に形成された導電線に接続され、前記第２端子の前方接触部が前記中継基板の他面に形成された導電線に接続され、前記第１端子の後方接触部と前記第２端子の後方接触部とが前記基板の一面に形成された接続電極に接続されるように配列される。
【００１２】
本発明の更に他のエッジコネクタにおいては、さらに、前記第１端子の導電経路長と、前記第２端子の導電経路長とが等しい。
【００１３】
本発明の更に他のエッジコネクタにおいては、さらに、前記中継基板は２列となるように配列され、一方の列の中継基板の導電線は、前記端子を介して、前記基板の一面に形成された接続電極に接続され、他方の列の中継基板の導電線は、前記端子を介して、前記基板の他面に形成された接続電極に接続される。
【００１４】
本発明の更に他のエッジコネクタにおいては、さらに、前記ケーブルは千鳥配置となるように配列される。
【発明の効果】
【００１５】
本発明によれば、エッジコネクタは、中継基板の表裏両面に接続される複数本のケーブルを中継基板の幅方向に並ぶように、かつ、表面に接続されるケーブルの位置と裏面に接続されるケーブルの位置とが幅方向にずれるように配列する。これにより、幅方向及び厚さ方向の寸法を増加させることなく多数本のケーブルを相手方の基板に接続することができ、構成が簡素でコストが低く、小型でありながら、信号の多極化に適切に対応することができ、耐久性を向上させ、信頼性を高めることができる。
【発明を実施するための最良の形態】
【００１６】
以下、本発明の実施の形態について図面を参照しながら詳細に説明する。
【００１７】
図１は本発明の実施の形態におけるエッジコネクタの嵌合前の状態を示す斜視図、図２は本発明の実施の形態におけるエッジコネクタの嵌合した状態を示す斜視図、図３は本発明の実施の形態におけるエッジコネクタの嵌合した状態を示す三面図、図４は本発明の実施の形態におけるエッジコネクタの嵌合前の基板と中継基板との関係を示す斜視図、図５は本発明の実施の形態におけるエッジコネクタの嵌合前の基板と中継基板との関係を示す側面図、図６は本発明の実施の形態におけるエッジコネクタの嵌合後の中継基板と端子との関係を示す斜視図である。なお、図３において、（ａ）はワイヤ側コネクタの背面側から観た図、（ｂ）は（ａ）のＡ−Ａ矢視断面図、（ｃ）は（ａ）のＢ−Ｂ矢視断面図であり、図４及び５はハウジングの描画を省略した図であり、図６はハウジング及び基板の描画を省略した図である。
【００１８】
図において、１は、本実施の形態における一対のエッジコネクタの一方である第１コネクタとしての基板側コネクタであり、基板９１の一側端（図１における上側端）、すなわち、エッジ部に接続されるコネクタである。また、１０１は、本実施の形態における一対のエッジコネクタの他方である第２コネクタとしてのワイヤ側コネクタであり、ワイヤを構成するケーブル１９１の先端（図１における下側端）に接続されるコネクタである。
【００１９】
前記基板９１は、例えば、コンピュータ等の電子機器、家庭電化製品等の電気機器等に使用されるプリント回路基板や、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される平板状ケーブルなどであり、いかなる種類のものであってもよく、ここでは、高周波信号が用いられる電子機器に使用されるプリント回路基板であるものとして説明する。そして、前記基板９１の両面には、図４における上側のエッジ部に沿って所定のピッチで基板９１の幅方向に並んで配列された複数の接続電極９３が露出している。該接続電極９３の各々は、基板９１の両面に形成され、所定のピッチで基板９１の幅方向に並んで配列された複数本の導電トレース９２の各々に接続されている。なお、前記接続電極９３及び導電トレース９２のピッチ及び数は適宜設定することができる。
【００２０】
また、前記ケーブル１９１は、いかなる種類のケーブルであってもよいが、例えば、高周波信号を伝達するのに適した細径の同軸ケーブルであるものとする。図６に示されるように、前記ケーブル１９１は、中心に配設された信号ラインとしての導電性の芯線１９５、該芯線１９５の周囲を覆う絶縁性の内側被覆１９４、該内側被覆１９４の周囲を覆うように配設された金属製のメッシュ等から成る接地ラインとしての導電性のシールド部材１９３、及び、該シールド部材１９３の周囲を覆う絶縁性の外側被覆１９２を備える断面略円形の線状体である。そして、前記ケーブル１９１は、ワイヤ側コネクタ１０１の幅方向に並んで、かつ、複数の列を形成するように配列される。なお、前記ケーブル１９１のピッチ及び数は適宜設定することができる。
【００２１】
図に示される例において、ケーブル１９１は、ワイヤ側コネクタ１０１が備える２列に配列された中継基板１３１の各々の表裏両面に沿って、それぞれ、１つの列を形成するように中継基板１３１の幅方向、すなわち、ワイヤ側コネクタ１０１の幅方向に並んで配列され、合計４つの列を形成する。この場合、中継基板１３１の表面に沿って配列されたケーブル１９１の位置と裏面に沿って配列されたケーブル１９１の位置とがワイヤ側コネクタ１０１の幅方向にずれるように配列されているので、ケーブル１９１は、図３（ａ）に示されるように、ワイヤ側コネクタ１０１を嵌合面と反対側、すなわち、背面側から観て千鳥配置となる。
【００２２】
なお、本実施の形態において、基板側コネクタ１、ワイヤ側コネクタ１０１及びその他の部材に含まれる各部の構成及び動作を説明するために使用される上、下、左、右、前、後等の方向を示す表現は、絶対的なものでなく相対的なものであり、基板側コネクタ１、ワイヤ側コネクタ１０１及びその他の部材に含まれる各部が図に示される姿勢である場合に適切であるが、基板側コネクタ１、ワイヤ側コネクタ１０１及びその他の部材に含まれる各部の姿勢が変化した場合には、姿勢の変化に応じて変更して解釈されるべきものである。
【００２３】
ここで、前記基板側コネクタ１は、合成樹脂等の絶縁性材料によって一体的に形成された第１ハウジング１１と、導電性を備える金属によって形成され、第１ハウジング１１に装填された端子群５１とを有する。該端子群５１は、図５に示されるように、基板９１の表面に形成された接続電極９３に接続されるように第１ハウジング１１の幅方向に並んで配列された第１の端子群５１ａと、基板９１の裏面に形成された接続電極９３に接続されるように第１ハウジング１１の幅方向に並んで配列された第２の端子群５１ｂとから成る。そして、前記第１の端子群５１ａ及び第２の端子群５１ｂは、図６に示されるように、ワイヤ側コネクタ１０１が備える２列の中継基板１３１の外側の面に形成された導電線ペア１７１に接続される第１端子６１ａと、２列の中継基板１３１の内側の面に形成された導電線ペア１７１に接続される第２端子６１ｂとを含んでいる。なお、第１端子６１ａ及び第２端子６１ｂを統合的に説明する場合には、端子６１として説明する。
【００２４】
また、前記第１ハウジング１１は、基板９１のエッジ部に沿って延在する断面が略矩（く）形の細長い棒状の部材であり、図３に示されるように、天板部１２、底板部１４、並びに、前記天板部１２と底板部１４とを嵌合面と反対側、すなわち、背面側で接続するとともに、端子群５１の第１端子６１ａ及び第２端子６１ｂを保持する端子保持壁部１６を備える。さらに、前記第１ハウジング１１は、嵌合面側、すなわち、基板９１と反対側（図１における上側）に延出するように一体的に形成された一対の嵌合腕１５を有する。該嵌合腕１５は、ワイヤ側コネクタ１０１が備える第２ハウジング１１１の幅方向両側端に形成された嵌合溝１１５内に嵌入され、基板側コネクタ１とワイヤ側コネクタ１０１との位置決めを行う。
【００２５】
さらに、前記第１ハウジング１１は、背面側に延出するように一体的に形成された取付凸部１７を有する。該取付凸部１７は、その内側の面が基板９１の表面に当接し、基板側コネクタ１と基板９１との位置決めを行う。また、複数の取付凸部１７のいくつかには、厚さ方向に貫通する取付孔（あな）１８が形成されており、該取付孔１８を基板９１に形成された基板側取付孔９８と合致させてボルト等の図示されない取付部材を挿通させることによって、基板側コネクタ１を基板９１に取付けることができる。なお、図に示される例において、取付凸部１７は、天板部１２のみに形成されているが、底板部１４に形成されるようにしてもよい。
【００２６】
一方、前記ワイヤ側コネクタ１０１は、合成樹脂等の絶縁性材料によって一体的に形成された第２ハウジング１１１と、該第２ハウジング１１１内に装填され、上下方向に複数列を形成するように第２ハウジング１１１の幅方向に並んで配列された複数の中継基板１３１とを備える。なお、該中継基板１３１は、３列以上の列を形成するように配列されてもよいが、ここでは、２列となるように配列された例について説明する。また、図に示される例において、中継基板１３１は、各列中において３つに分割されているが、２つに分割されていてもよいし、４つ以上に分割されていてもよいし、分割されずに１つであってもよい。
【００２７】
そして、各中継基板１３１は、合成樹脂等の絶縁性材料によって一体的に形成された長方形の板状の部材であり、その表面及び裏面には、一対の導電線から成る導電線ペア１７１が複数形成されている。該導電線ペア１７１の導電線は、金属等の導電性材料から成り、例えば、めっき、蒸着等の方法によって中継基板１３１の面上に形成された被膜であってもよいし、箔（はく）、薄板等を中継基板１３１の面上に貼（てん）付したものであってもよい。そして、前記導電線ペア１７１は、中継基板１３１の表面及び裏面において中継基板１３１の幅方向に並んで配列され、かつ、表面に配列された導電線ペア１７１の位置と裏面に配列された導電線ペア１７１の位置とが中継基板１３１の幅方向にずれるように配列されている。
【００２８】
ここで、前記導電線ペア１７１を構成する一対の導電線は、互いに平行して嵌合面側から嵌合面と反対側、すなわち、背面側に延在し、一方が接地線１５１であり、他方が信号線１６１である。そして、各接地線１５１の背面側の端部には幅広の接地パッド１５２が形成され、各信号線１６１の背面側の端部には幅広の信号パッド１６２が形成されている。なお、ケーブル１９１のシールド部材１９３が接続される接地パッド１５２は、ケーブル１９１の芯線１９５が接続される信号パッド１６２よりも、背面寄りの位置に配設される。このため、ケーブル１９１の芯線１９５及び信号線１６１から成る信号ラインの導電経路長と、ケーブル１９１のシールド部材１９３及び接地線１５１から成る接地ラインの導電経路長とを等しくして、インピーダンスを整合させることができる。したがって、信号ライン及び接地ラインによって伝送される信号の特性が劣化することがない。また、すべてのケーブル１９１についての導電経路長が等しく、インピーダンスが整合されているので、マルチチャンネル化された信号を伝送しても、特性が劣化することがない。
【００２９】
さらに、表面に配列された導電線ペア１７１の位置と裏面に配列された導電線ペア１７１の位置とが中継基板１３１の幅方向にずれるように配列されているので、同一面上における隣接する導電線ペア１７１同士の間隔が広いので、隣接する導電線ペア１７１によって伝送される信号同士が干渉することがない。なお、信号ライン又は接地ラインの導電経路長を調整する必要があるときには、導電線ペア１７１同士の間の部分に信号線１６１又は接地線１５１の余剰パターンを形成することによって、信号線１６１又は接地線１５１の導電経路長を調整することができる。
【００３０】
また、前記第２ハウジング１１１は、幅方向に延在する長方形の板部材である天板部１１２、底板部１１４、前記天板部１１２と底板部１１４とを背面側で接続するとともに、ケーブル１９１を保持するワイヤ保持壁部１１６、及び、前記天板部１１２と底板部１１４とを接続するとともに、各中継基板１３１の幅方向両端を保持する複数の仕切壁部１１７を備える。そして、前記第２ハウジング１１１の幅方向両端に形成された嵌合溝１１５は、天板部１１２、底板部１１４及び外側の仕切壁部１１７によって周囲を画定される。
【００３１】
さらに、前記第２ハウジング１１１は、中継基板１３１を内部に収容する中継基板収容開口部１１３を備える。該中継基板収容開口部１１３は、天板部１１２、底板部１１４、ワイヤ保持壁部１１６及び仕切壁部１１７によって周囲を画定され、嵌合面側が開放された開口部であり、図に示される例においては、３つ形成されている。そして、各中継基板収容開口部１１３内には、２つの中継基板１３１が上下２段となるように収容されている。なお、中継基板収容開口部１１３内に収容された中継基板１３１の一部分、すなわち、嵌合面側の先端から所定長さの範囲は、中継基板収容開口部１１３の嵌合面側の端部よりも突出した状態となる。
【００３２】
各ケーブル１９１は、ワイヤ保持壁部１１６に形成された貫通孔（こう）に背面側から挿入され、中継基板収容開口部１１３内に突出した先端部が中継基板１３１に接続される。ケーブル１９１の先端部では、図６に示されるように、最先端から芯線１９５、内側被覆１９４、シールド部材１９３の順で順次露出するように、内側被覆１９４、シールド部材１９３及び外側被覆１９２が除去されている。そして、露出した芯線１９５は、はんだ付等によって信号パッド１６２に電気的に接続されて固定され、露出したシールド部材１９３は、はんだ付等により接地パッド１５２に電気的に接続されて固定される。これにより、前述のように、ケーブル１９１は、２列に配列された中継基板１３１の各々の表裏両面に沿って、それぞれ、１つの列を形成するように中継基板１３１の幅方向に並んで配列され、合計４つの列を形成するように、中継基板１３１に接続される。
【００３３】
なお、実際には、露出した芯線１９５が信号パッド１６２に接触又は近接するように、ケーブル１９１の先端部は、中継基板１３１に向けて曲げられることが望ましいが、図３〜６並びに後述される図１１及び１２においては、ケーブル１９１の先端部、接地パッド１５２、信号パッド１６２等の各部の構成及び相対的位置関係を理解しやすくするために、ケーブル１９１の先端部が直線的に描画されている。同様の理由から、図３〜６並びに後述される図１１及び１２においては、シールド部材１９３及び芯線１９５と接地パッド１５２及び信号パッド１６２とを接続するはんだ等の導電性接合剤の描画も省略されている。
【００３４】
そして、基板側コネクタ１とワイヤ側コネクタ１０１とが嵌合されると、前記中継基板１３１における中継基板収容開口部１１３の嵌合面側の端部よりも突出した部分は、基板側コネクタ１の後述される第１の挿入開口部１３ａ及び第２の挿入開口部１３ｂ内に挿入され、中継基板１３１の導電線ペア１７１と、第１の挿入開口部１３ａ及び第２の挿入開口部１３ｂ内に配設された第１の端子群５１ａ及び第２の端子群５１ｂの第１端子６１ａ及び第２端子６１ｂとが接触して電気的に接続される。この場合、図６に示されるように、２列に配列された中継基板１３１の外側に位置する面（図における上側の中継基板１３１の上向きの面及び下側の中継基板１３１の下向きの面）に形成された接地線１５１及び信号線１６１と第１端子６１ａとが接触し、２列に配列された中継基板１３１の内側に位置する面（図における上側の中継基板１３１の下向きの面及び下側の中継基板１３１の上向きの面）に形成された接地線１５１及び信号線１６１と第２端子６１ｂとが接触する。
【００３５】
次に、前記基板側コネクタ１の構成について詳細に説明する。
【００３６】
図７は本発明の実施の形態における基板側コネクタの構成を示す四面図、図８は本発明の実施の形態における基板側コネクタの構成を示す断面図であり、図７のＣ−Ｃ矢視断面図、図９は本発明の実施の形態における第１端子の構成を示す三面図、図１０は本発明の実施の形態における第２端子の構成を示す三面図である。なお、図７において、（ａ）は正面図、（ｂ）は上面図、（ｃ）は背面図、（ｄ）は側面図であり、図９及び１０において、（ａ）は斜視図、（ｂ）は側面図、（ｃ）は上面図である。
【００３７】
本実施の形態において、第１ハウジング１１は、図７及び８に示されるように、嵌合面側から背面側に向けて凹入するように形成され、幅方向に延在するスロット状の形状を備える挿入開口部１３を有する。該挿入開口部１３は、端子保持壁部１６から嵌合面方向に突出する仕切壁部１６ａによって上下方向に２分割され、上側、すなわち、天板部１２側の第１の挿入開口部１３ａと、下側、すなわち、底板部１４側の第２の挿入開口部１３ｂとに分離されている。前述のように、基板側コネクタ１とワイヤ側コネクタ１０１とが嵌合されると、ワイヤ側コネクタ１０１の中継基板１３１における中継基板収容開口部１１３の嵌合面側の端部よりも突出した部分が、前記第１の挿入開口部１３ａ及び第２の挿入開口部１３ｂ内に挿入される。
【００３８】
また、前記第１ハウジング１１は、背面側から嵌合面側に向けて凹入するように形成され、幅方向に延在するスロット状の形状を備えるエッジ挿入溝部１９を有する。そして、基板側コネクタ１が基板９１に取付けられると、該基板９１のエッジ部が前記エッジ挿入溝部１９内に挿入される。
【００３９】
第１端子６１ａは、金属板に打抜き加工、曲げ加工等を施して一体的に形成された部材であり、図９に示されるように、幅広の本体部６３ａと、該本体部６３ａの前端に接続され、前方に向けて延出する途中で斜め上方に曲げられた前方腕部６５ａと、該前方腕部６５ａの前端近傍に形成され、上方に向けて突出するように湾曲した前方接触部６４ａとを有する。また、前記第１端子６１ａは、本体部６３ａの後端に接続され、ほぼ直交するように曲げられ、上方に向けて延出する垂直壁部６８ａと、該垂直壁部６８ａの後端に接続され、ほぼ直交するように曲げられ、後方に向けて延出する水平壁部６７ａと、該水平壁部６７ａの後端に接続され、後方に向け、かつ、斜め上方に延出する後方腕部６６ａと、該後方腕部６６ａの後端近傍に形成され、上方に向けて突出するように湾曲した後方接触部６２ａとを備える。なお、前記本体部６３ａ、垂直壁部６８ａ及び水平壁部６７ａの部分の側面形状は、クランク状、又は、上方に上る階段（ステップ）状となっている。
【００４０】
そして、前記本体部６３ａは、図８に示されるように、第１ハウジング１１の端子保持壁部１６によって保持される部分である。また、前方腕部６５ａは第１の挿入開口部１３ａ及び第２の挿入開口部１３ｂ内に突出する部分であり、前方接触部６４ａは、図６に示されるように、第１の挿入開口部１３ａ及び第２の挿入開口部１３ｂ内に挿入された中継基板１３１の接地線１５１及び信号線１６１と接触する部分である。さらに、垂直壁部６８ａ、水平壁部６７ａ及び後方腕部６６ａは、エッジ挿入溝部１９内に突出する部分であり、後方接触部６２ａは、図４に示されるように、エッジ挿入溝部１９内に挿入された基板９１のエッジ部の接続電極９３と接触する部分である。
【００４１】
第２端子６１ｂは、金属板に打抜き加工、曲げ加工等を施して一体的に形成された部材であり、図１０に示されるように、幅広の本体部６３ｂと、該本体部６３ｂの前端に接続され、前方に向けて延出する途中で斜め下方に曲げられた前方腕部６５ｂと、該前方腕部６５ｂの前端近傍に形成され、下方に向けて突出するように湾曲した前方接触部６４ｂとを有する。また、前記第２端子６１ｂは、本体部６３ｂの後端に接続され、ほぼ直交するように曲げられ、下方に向けて延出する垂直壁部６８ｂと、該垂直壁部６８ｂの後端に接続され、ほぼ直交するように曲げられ、後方に向けて延出する水平壁部６７ｂと、該水平壁部６７ｂの後端に接続され、後方に向け、かつ、斜め上方に延出する後方腕部６６ｂと、該後方腕部６６ｂの後端近傍に形成され、上方に向けて突出するように湾曲した後方接触部６２ｂとを備える。なお、前記本体部６３ｂ、垂直壁部６８ｂ及び水平壁部６７ｂの部分の側面形状は、クランク状、又は、下方に下りる階段状となっている。
【００４２】
そして、前記本体部６３ｂは、図８に示されるように、第１ハウジング１１の端子保持壁部１６によって保持される部分である。また、前方腕部６５ｂは第１の挿入開口部１３ａ及び第２の挿入開口部１３ｂ内に突出する部分であり、前方接触部６４ｂは、図６に示されるように、第１の挿入開口部１３ａ及び第２の挿入開口部１３ｂ内に挿入された中継基板１３１の接地線１５１及び信号線１６１と接触する部分である。さらに、垂直壁部６８ｂ、水平壁部６７ｂ及び後方腕部６６ｂは、エッジ挿入溝部１９内に突出する部分であり、後方接触部６２ｂは、図４に示されるように、エッジ挿入溝部１９内に挿入された基板９１のエッジ部の接続電極９３と接触する部分である。
【００４３】
ここで、図９（ｂ）に示されるような第１端子６１ａの側面形状と、図１０（ｂ）に示されるような第２端子６１ｂの側面形状とを比較してみると、第１端子６１ａにおける前方接触部６４ａから後方接触部６２ａまでの導電経路長と第２端子６１ｂにおける前方接触部６４ｂから後方接触部６２ｂまでの導電経路長とが等しいことが分かる。これにより、中継基板１３１の接地線１５１及び信号線１６１から基板９１の接続電極９３までの導電経路長をすべて等しくすることができ、インピーダンスを整合させることができるので、各ケーブル１９１及び導電線ペア１７１において信号ライン及び接地ラインによって伝送される信号の特性が劣化することがない。さらに、すべてのケーブル１９１及び導電線ペア１７１によって伝送される信号が同様に伝送されるので、マルチチャンネル化された信号を伝送しても、特性が劣化することがない。
【００４４】
ところで、図６に示される例においては、下側の中継基板１３１の下向きの面に形成された接地線１５１及び信号線１６１と接触する第１端子６１ａの側面形状が図９（ｂ）に示されるようになっている。また、下側の中継基板１３１の上向きの面に形成された接地線１５１及び信号線１６１と接触する第２端子６１ｂの側面形状が図１０（ｂ）に示されるようになっている。この場合、第１端子６１ａの前方腕部６５ａと第２端子６１ｂの前方腕部６５ｂとは、側面から観ると、下と上とに分かれて互いに対向し、下と上から下側の中継基板１３１を挟むようになっている。
【００４５】
また、第１端子６１ａの水平壁部６７ａ及び後方腕部６６ａと第２端子６１ｂの水平壁部６７ｂ及び後方腕部６６ｂとは、側面から観ると、互いに重なり合って見分けがつかないようになっている。つまり、第２の端子群５１ｂを側面から観ても、第１端子６１ａの水平壁部６７ａ及び後方腕部６６ａと第２端子６１ｂの水平壁部６７ｂ及び後方腕部６６ｂとは見分けがつかない。そして、後方腕部６６ａ及び後方腕部６６ｂは、後方に向け、かつ、斜め上方に延出し、後方接触部６２ａ及び後方接触部６２ｂは、基板９１のエッジ部の下側の面に形成された接続電極９３と接触する。このことは、図５及び８からも理解することができる。
【００４６】
そして、図６における上側の中継基板１３１の上向きの面に形成された接地線１５１及び信号線１６１と接触する第１端子６１ａの側面形状は、図９（ｂ）に示される側面形状を上下逆様にしたようになっている。また、上側の中継基板１３１の下向きの面に形成された接地線１５１及び信号線１６１と接触する第２端子６１ｂの側面形状は、図１０（ｂ）に示される側面形状を上下逆様にしたようになっている。この場合、第１端子６１ａの前方腕部６５ａと第２端子６１ｂの前方腕部６５ｂとは、側面から観ると、上と下とに分かれて互いに対向し、上と下から上側の中継基板１３１を挟むようになっている。
【００４７】
また、第１端子６１ａの水平壁部６７ａ及び後方腕部６６ａと第２端子６１ｂの水平壁部６７ｂ及び後方腕部６６ｂとは、側面から観ると、互いに重なり合って見分けがつかないようになっている。つまり、第１の端子群５１ａを側面から観ても、第１端子６１ａの水平壁部６７ａ及び後方腕部６６ａと第２端子６１ｂの水平壁部６７ｂ及び後方腕部６６ｂとは見分けがつかない。そして、後方腕部６６ａ及び後方腕部６６ｂは、後方に向け、かつ、斜め下方に延出し、後方接触部６２ａ及び後方接触部６２ｂは、基板９１のエッジ部の上側の面に形成された接続電極９３と接触する。このことは、図５及び８からも理解することができる。
【００４８】
なお、互いに隣接する２本の第１端子６１ａを１組とし、互いに隣接する２本の第２端子６１ｂを１組として把握した場合、図６に示されるように、第１の端子群５１ａ及び第２の端子群５１ｂにおいては、第１端子６１ａと第２端子６１ｂとが１組ずつ交互になるように第１ハウジング１１の幅方向に並んで配列されている。これは、前述のように、中継基板１３１の一方の面に配列された導電線ペア１７１の位置と他方の面に配列された導電線ペア１７１の位置とが中継基板１３１の幅方向にずれるように配列されているために、一方の面に配列された導電線ペア１７１に接続される端子６１のペアである第１端子６１ａの組と、他方の面に配列された導電線ペア１７１に接続される端子６１のペアである第２端子６１ｂの組とが、中継基板１３１の幅方向にずれるからである。
【００４９】
次に、前記ワイヤ側コネクタ１０１の構成について詳細に説明する。
【００５０】
図１１は本発明の実施の形態におけるワイヤ側コネクタの構成を示す二面図、図１２は本発明の実施の形態におけるワイヤ側コネクタの中継基板とワイヤの関係を示す五面図であり、ハウジングの描画を省略した図である。なお、図１１において、（ａ）は背面図、（ｂ）は（ａ）のＤ−Ｄ矢視断面図であり、図１２において、（ａ）は背面図、（ｂ）は上面図、（ｃ）は正面図、（ｄ）は側面図、（ｅ）は斜視図である。
【００５１】
本実施の形態においては、前述のように、中継基板１３１の表面に配列された導電線ペア１７１の位置と裏面に配列された導電線ペア１７１の位置とが中継基板１３１の幅方向にずれるように配列されているので、ケーブル１９１は、図１２に示されるように、中継基板１３１の表面に配列された導電線ペア１７１に接続されるケーブル１９１の位置と、裏面に配列された導電線ペア１７１に接続されるケーブル１９１の位置とが、中継基板１３１の幅方向にずれるように配列される。これは、２列の配列された中継基板１３１のいずれについても同様である。
【００５２】
そのため、２列に配列された中継基板１３１の各々の表裏両面に沿って配列され、合計４列となるようにワイヤ側コネクタ１０１の幅方向に配列されたケーブル１９１は、図１１（ａ）に示されるように、背面側から観て千鳥配置となる。すなわち、ワイヤ側コネクタ１０１の幅方向に所定のピッチで並べて配列され、合計４列を形成するケーブル１９１は、相互に隣接する列に含まれるケーブル１９１同士が、ワイヤ側コネクタ１０１の幅方向に半ピッチずつずれるように配列される。
【００５３】
したがって、各列内におけるケーブル１９１のピッチを小さくすることができるとともに、隣接する列同士の間隔を短くすることができるので、ケーブル１９１を密に配列することができ、ワイヤ側コネクタ１０１の幅方向及び厚さ方向（上下方向）の寸法を抑制することができる。また、ワイヤ側コネクタ１０１と嵌合する基板側コネクタ１の幅方向及び厚さ方向の寸法も、同様に、抑制することができる。
【００５４】
また、すべてのケーブル１９１について、ケーブル１９１から基板９１の接続電極９３までの導電経路長が等しいので、インピーダンスが整合され、マルチチャンネル化された信号を伝送しても、特性が劣化することがない。
【００５５】
このように、本実施の形態において、エッジコネクタは、第１ハウジング１１と、第１ハウジング１１に装填された端子６１とを備え、基板９１のエッジ部に接続される基板側コネクタ１と、第２ハウジング１１１と、第２ハウジング１１１に装填され、一端がケーブル１９１に接続され、他端が端子６１に接続される中継基板１３１とを備え、基板側コネクタ１と嵌合するワイヤ側コネクタ１０１とを有する。そして、中継基板１３１は、表裏両面に形成された複数の導電線を備え、ケーブル１９１は、複数であり、中継基板１３１の両面に沿って列を形成するように中継基板１３１の幅方向に並び、かつ、中継基板１３１の一面側と他面側とで幅方向に位置がずれるように配列される。
【００５６】
これにより、第１ハウジング１１及び第２ハウジング１１１の幅方向及び厚さ方向の寸法を増加させることなく、多数本のケーブル１９１を基板９１に接続することができる。さらに、構成が簡素でコストが低く、小型でありながら、信号の多極化に適切に対応することができる。
【００５７】
また、ケーブル１９１の芯線１９５に接続される信号線１６１とシールド部材１９３に接続される接地線１５１とから成る導電線ペア１７１を複数備え、導電線ペア１７１は、中継基板１３１の両面において列を形成するように中継基板１３１の幅方向に並び、かつ、中継基板１３１の一面と他面とで幅方向に位置がずれるように配列される。
【００５８】
これにより、同一面上における隣接する導電線ペア１７１同士の間隔を広くすることができ、隣接する導電線ペア１７１によって伝送される信号同士が干渉することがない。また、導電線ペア１７１同士の間の部分に信号線１６１又は接地線１５１の余剰パターンを形成することによって、信号線１６１又は接地線１５１の導電経路長を調整することができる。
【００５９】
さらに、ケーブル１９１の芯線１９５及び信号線１６１を合せた導電経路長と、シールド部材１９３及び接地線１５１を合せた導電経路長とが等しくなるように形成されている。これにより、インピーダンスを整合させることができ、信号ライン及び接地ラインによって伝送される信号の特性が劣化することがない。また、すべてのケーブル１９１についての導電経路長が等しく、インピーダンスが整合されているので、マルチチャンネル化された信号を伝送しても、特性が劣化することがない。
【００６０】
さらに、第１端子６１ａ及び第２端子６１ｂは、第１端子６１ａの前方接触部６４ａが中継基板１３１の一面に形成された導電線に接続され、第２端子６１ｂの前方接触部６４ｂが中継基板１３１の他面に形成された導電線に接続され、第１端子６１ａの後方接触部６２ａと第２端子６１ｂの後方接触部６２ｂとが基板９１の一面に形成された接続電極９３に接続されるように配列される。そして、第１端子６１ａの導電経路長と、第２端子６１ｂの導電経路長とが等しくなるように形成されている。これにより、中継基板１３１の導電線から基板９１の接続電極９３までの導電経路長をすべて等しくすることができ、インピーダンスを整合させることができるので、各ケーブル１９１及び導電線ペア１７１において信号ライン及び接地ラインによって伝送される信号の特性が劣化することがない。また、すべてのケーブル１９１についての導電経路長が等しく、インピーダンスが整合されているので、マルチチャンネル化された信号を伝送しても、特性が劣化することがない。
【００６１】
さらに、中継基板１３１は２列となるように配列され、一方の列の中継基板１３１の導電線は、端子６１を介して、基板９１の一面に形成された接続電極９３に接続され、他方の列の中継基板１３１の導電線は、端子６１を介して、基板９１の他面に形成された接続電極９３に接続される。これにより、各列内におけるケーブル１９１のピッチを小さくすることができるとともに、隣接する列同士の間隔を短くすることができるので、ケーブル１９１を密に配列することができ、ワイヤ側コネクタ１０１の幅方向及び厚さ方向の寸法を抑制することができる。また、ワイヤ側コネクタ１０１と嵌合する基板側コネクタ１の幅方向及び厚さ方向の寸法も、同様に、抑制することができる。
【００６２】
なお、本発明は前記実施の形態に限定されるものではなく、本発明の趣旨に基づいて種々変形させることが可能であり、それらを本発明の範囲から排除するものではない。
【図面の簡単な説明】
【００６３】
【図１】本発明の実施の形態におけるエッジコネクタの嵌合前の状態を示す斜視図である。
【図２】本発明の実施の形態におけるエッジコネクタの嵌合した状態を示す斜視図である。
【図３】本発明の実施の形態におけるエッジコネクタの嵌合した状態を示す三面図であって、（ａ）はワイヤ側コネクタの背面側から観た図、（ｂ）は（ａ）のＡ−Ａ矢視断面図、（ｃ）は（ａ）のＢ−Ｂ矢視断面図である。
【図４】本発明の実施の形態におけるエッジコネクタの嵌合前の基板と中継基板との関係を示す斜視図であって、ハウジングの描画を省略した図である。
【図５】本発明の実施の形態におけるエッジコネクタの嵌合前の基板と中継基板との関係を示す側面図であって、ハウジングの描画を省略した図である。
【図６】本発明の実施の形態におけるエッジコネクタの嵌合後の中継基板と端子との関係を示す斜視図であって、ハウジング及び基板の描画を省略した図である。
【図７】本発明の実施の形態における基板側コネクタの構成を示す四面図であって、（ａ）は正面図、（ｂ）は上面図、（ｃ）は背面図、（ｄ）は側面図である。
【図８】本発明の実施の形態における基板側コネクタの構成を示す断面図であり、図７のＣ−Ｃ矢視断面図である。
【図９】本発明の実施の形態における第１端子の構成を示す三面図であって、（ａ）は斜視図、（ｂ）は側面図、（ｃ）は上面図である。
【図１０】本発明の実施の形態における第２端子の構成を示す三面図であって、（ａ）は斜視図、（ｂ）は側面図、（ｃ）は上面図である。
【図１１】本発明の実施の形態におけるワイヤ側コネクタの構成を示す二面図であって、（ａ）は背面図、（ｂ）は（ａ）のＤ−Ｄ矢視断面図である。
【図１２】本発明の実施の形態におけるワイヤ側コネクタの中継基板とワイヤの関係を示す五面図であり、ハウジングの描画を省略した図であって、（ａ）は背面図、（ｂ）は上面図、（ｃ）は正面図、（ｄ）は側面図、（ｅ）は斜視図である。
【図１３】従来のコネクタを示す断面図である。
【符号の説明】
【００６４】
１、８０１    基板側コネクタ
１１    第１ハウジング
１２、１１２    天板部
１３    挿入開口部
１３ａ    第１の挿入開口部
１３ｂ    第２の挿入開口部
１４、１１４    底板部
１５    嵌合腕
１６    端子保持壁部
１６ａ、１１７    仕切壁部
１７    取付凸部
１８    取付孔
１９    エッジ挿入溝部
５１    端子群
５１ａ    第１の端子群
５１ｂ    第２の端子群
６１    端子
６１ａ    第１端子
６１ｂ    第２端子
６２ａ、６２ｂ    後方接触部
６３ａ、６３ｂ    本体部
６４ａ、６４ｂ    前方接触部
６５ａ、６５ｂ    前方腕部
６６ａ、６６ｂ    後方腕部
６７ａ、６７ｂ    水平壁部
６８ａ、６８ｂ    垂直壁部
９１    基板
９２    導電トレース
９３    接続電極
９８    基板側取付孔
１０１    ワイヤ側コネクタ
１１１    第２ハウジング
１１３    中継基板収容開口部
１１５    嵌合溝
１１６    ワイヤ保持壁部
１３１、９１１    中継基板
１５１    接地線
１５２    接地パッド
１６１    信号線
１６２    信号パッド
１７１    導電線ペア
１９１、９９１    ケーブル
１９２    外側被覆
１９３、９７１    シールド部材
１９４    内側被覆
１９５、９９３    芯線
８１１    ハウジング
８６１    先端部
８６２    後端部
９２１    グランド用ランド
９６１    ケーブル側信号ランド
９６２    基板側信号ランド
９９２    導電線
９９４    シールド網線
【図１】
0004920557.tif 000002
【図２】
0004920557.tif 000003
【図３】
0004920557.tif 000004
【図４】
0004920557.tif 000005
【図５】
0004920557.tif 000006
【図６】
0004920557.tif 000007
【図７】
0004920557.tif 000008
【図８】
0004920557.tif 000009
【図９】
0004920557.tif 000010
【図１０】
0004920557.tif 000011
【図１１】
0004920557.tif 000012
【図１２】
0004920557.tif 000013
【図１３】
0004920557.tif 000014